(57)【要約】【課題】障子を構成する樹脂が溶けた場合でも、障子が捩れることを防止できる建具を提供すること。【解決手段】樹脂製で中空の上框３１、下框３２、縦框３３、３４を有する框体３０と、ガラス２５と、上框３１、下框３２内のガラス側面３１１ａ、３２１ａ及び枠体側面３１１ｂ、３２１ｂを有する金属製の室外側上框芯材３１ｅ・下框芯材３２ｅと、縦框３３、３４内のガラス側面３３１ａ、３４１ａ及び枠体側面３３１ｂ、３４１ｂを有する金属製の室外側縦框芯材３３ｅ・３４ｅと、コーナー３６に配置される金属製の補強部材７と、を備え、補強部材７は、室外側上框芯材３１ｅ・下框芯材３２ｅのガラス側面３１１ａ、３２１ａ及び室外側縦框芯材３４ｅのガラス側面３４１ａを連結する内側部材７１と、室外側上框芯材３１ｅ・下框芯材３２ｅの枠体側面３１１ｂ、３２１ｂ及び室外側縦框芯材３４ｅの枠体側面３４１ｂを連結する外側部材７２とを有する建具である。【選択図】図４
2019065561.tif 000002
【特許請求の範囲】
【請求項１】
枠体及び前記枠体に開閉可能に取り付けられる障子を備える建具であって、
前記障子の外縁を構成し、樹脂製で内部が中空の横框及び左右の縦框を有する框体と、
前記框体の内側に納められるガラスと、
前記横框の内部に配置され、前記横框の前記内部における前記ガラス側の面に対面するガラス側面及び前記横框の前記内部における前記枠体側の面に対面する枠体側面を有する金属製の横框芯材と、
前記縦框の内部に配置され、前記縦框の前記内部における前記ガラス側の面に対面するガラス側面及び前記縦框の前記内部における前記枠体側の面に対面する枠体側面を有する金属製の縦框芯材と、
前記横框と前記縦框が連結されるコーナーに配置される金属製の補強部材と、を備え、
前記補強部材は、
前記コーナーの前記ガラス側に配置され、前記横框芯材の前記ガラス側面及び前記縦框芯材の前記ガラス側面を連結する内側部材と、
前記コーナーの前記枠体側に配置され、前記横框芯材の前記枠体側面及び前記縦框芯材の前記枠体側面を連結する外側部材と、を有する、建具。
【請求項２】
前記補強部材は、戸先側の前記コーナーに設けられる請求項１に記載の建具。
【請求項３】
前記框体の前記ガラス側の面に配置され、前記ガラスの見付方向の端部及び見込面に沿って延びる前記ガラスの外れ止め部材を有し、
前記横框芯材及び前記縦框芯材の前記ガラス側面は、前記外れ止め部材における前記ガラスの見込面に沿う部分に連結されている、請求項１又は２に記載の建具。
【請求項４】
前記内側部材及び前記外側部材は、前記横框芯材及び前記縦框芯材にそれぞれ２以上のネジにより締結され、
前記内側部材は、隣り合う前記ネジの軸頭同士が、前記ガラスの面方向に沿って並ぶように配置されて締結され、
前記外側部材は、隣り合う前記ネジの軸頭同士が、前記ガラスの面方向に交差する方向に沿って並ぶように配置されて締結される、請求項１〜３のいずれか１項に記載の建具。
【発明の詳細な説明】
【技術分野】
【０００１】
本発明は、開閉可能な障子を備える建具に関する。
【背景技術】
【０００２】
従来、障子を備える建具において、火災により障子を構成する樹脂製の部材が溶けて変形等した場合に備え、障子に金属等の芯材を設けることが知られている。また、障子の上框と縦框、下框と縦框のコーナーに短冊状の鋼板を取り付け、障子が高熱により軟化した場合に備えて框を補強することが提案されている（例えば、特許文献１参照）。
【先行技術文献】
【特許文献】
【０００３】
【特許文献１】特開２０１６−１０８９０８号公報
【発明の概要】
【発明が解決しようとする課題】
【０００４】
しかし、鋼板を取り付けるにあたり、框の一面のみに取り付けるだけでは、障子が軟化した場合に上下の框と左右の框が捩れる場合があり、障子の捻れを十分に防止することが難しかった。
【０００５】
本発明は、障子を構成する樹脂が溶けた場合でも、障子が捩れることを防止できる建具を提供することを目的とする。
【課題を解決するための手段】
【０００６】
本発明は、枠体（例えば、後述の枠体１０）及び前記枠体に開閉可能に取り付けられる障子（例えば、後述の障子２０）を備える建具（例えば、後述の建具１）であって、前記障子の外縁を構成し、樹脂製で内部が中空の横框（例えば、後述の上框３１、下框３２）及び左右の縦框（例えば、後述の吊元側縦框３３、戸先側縦框３４）を有する框体（例えば、後述の框体３０）と、前記框体の内側に納められるガラス（例えば、後述のガラス２５）と、前記横框の内部に配置され、前記横框の前記内部における前記ガラス側の面に対面するガラス側面（例えば、後述のガラス側面３１１ａ、３２１ａ）及び前記横框の前記内部における前記枠体側の面に対面する枠体側面（例えば、後述の枠体側面３１１ｂ、３２１ｂ）を有する金属製の横框芯材（例えば、後述の室外側上框芯材３１ｅ、室外側下框芯材３２ｅ）と、前記縦框の内部に配置され、前記縦框の前記内部における前記ガラス側の面に対面するガラス側面（例えば、後述のガラス側面３３１ａ、３４１ａ）及び前記縦框の前記内部における前記枠体側の面に対面する枠体側面（例えば、後述の枠体側面３３１ｂ、３４１ｂ）を有する金属製の縦框芯材（例えば、後述の室外側縦框芯材３３ｅ、室外側縦框芯材３４ｅ）と、前記横框と前記縦框が連結されるコーナー（例えば、後述のコーナー３６）に配置される金属製の補強部材（例えば、後述の補強部材７）と、を備え、前記補強部材は、前記コーナーの前記ガラス側に配置され、前記横框芯材の前記ガラス側面及び前記縦框芯材の前記ガラス側面とを連結する内側部材（例えば、後述の内側部材７１）と、前記コーナーの前記枠体側に配置され、前記横框芯材の前記枠体側面及び前記縦框芯材の前記枠体側面を連結する外側部材（例えば、後述の外側部材７２）と、を有する、建具に関する。
【０００７】
前記補強部材は、戸先側の前記コーナーに設けられることが好ましい。
【０００８】
前記框体の前記ガラス側の面に配置され、前記ガラスの見付方向の端部及び見込面に沿って延びる前記ガラスの外れ止め部材（例えば、後述の外れ止め部材４０）を有し、前記横框芯材及び前記縦框芯材の前記ガラス側面は、前記外れ止め部材における前記ガラスの見込面に沿う部分に連結されていることが好ましい。
【０００９】
前記内側部材及び前記外側部材は、前記横框芯材及び前記縦框芯材にそれぞれ２以上のネジ（例えば後述のネジ３７、ネジ４５）により締結され、前記内側部材は、隣り合う前記ネジの軸頭同士が、前記ガラスの面方向に沿って並ぶように配置されて締結され、前記外側部材は、隣り合う前記ネジの軸頭同士が、前記ガラスの面方向に交差する方向に沿って並ぶように配置されて締結されることが好ましい。
【発明の効果】
【００１０】
本発明によれば、障子を構成する樹脂が溶けた場合でも、障子が捩れることを防止できる建具を提供することができる。
【図面の簡単な説明】
【００１１】
【図１】本発明の一実施形態に係る建具を示す正面図である。
【図２】本実施形態の建具の縦断面図である。
【図３】本実施形態の建具の横断面図である。
【図４】本実施形態の戸先側縦枠の横断面図である。
【図５】本実施形態の戸先側縦框を室内側から見た部分斜視図である。
【図６】本実施形態の戸先側縦框を室外側から見た部分斜視図である。
【発明を実施するための形態】
【００１２】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１３】
図１は、本発明の一実施形態に係る建具１を示す正面図である。本実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１４】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。
【００１５】
図２は、本実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１６】
図３は、本実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００１７】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００１８】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００１９】
障子２０は、ガラス２５と、ガラス２５を囲うように構成される框体３０と、を含むように構成される。
【００２０】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２１】
框体３０は、横框としての上框３１、下框３２、縦框としての吊元側縦框３３及び戸先側縦框３４が矩形に枠組みされて構成される。上框３１、下框３２、吊元側縦框３３及び戸先側縦框３４は、何れも樹脂製であり、溶着によって接合される。
【００２２】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、横框芯材としての金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２３】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、横框芯材としての金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２４】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、縦框芯材としての金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２５】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、縦框芯材としての金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００２６】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００２７】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００２８】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００２９】
本実施形態の建具１は、ガラス２５の外れ止め部材４０と、框体３０を補強する補強部材７をさらに備える。
図４は、本実施形態の戸先側縦框３４の横断面図である。図４では、説明の便宜のため、ガラス２５の外れ止め部材４０、框体３０及び框体３０を補強する補強部材７のみを実線で示し、その他の構成部材を破線で示している。
【００３０】
ガラス２５の外れ止め部材４０は、框体３０のガラス側の見込面に１又は複数配置される。框体３０のガラス側の見込面とは、框体３０におけるガラス２５に対向する面である。本実施形態では、４個のガラス２５の外れ止め部材４０が、戸先側縦框３４のガラス側の見込面に間隔をあけて配置される（図１参照）。同様に、４個の外れ止め部材４０が、吊元側縦框３３の見込面にも配置される。また、外れ止め部材４０は、上框３１の内側の見込面の中央に１個配置される（図１参照）。同様に、外止め部材４０は、下框３２の内側の見込面にも１個配置される。
【００３１】
外れ止め部材４０は、図４に示すように、ガラス２５の見付方向の端部及びガラス２５の見込面に沿うように横断面視で略Ｌ字型の形状を有する。外れ止め部材４０は、金属製（例えば、ステンレス鋼）である。
【００３２】
上述の通り、上框３１の内部には、室外側上框芯材３１ｅが配置され、下框３２の内部には、室外側下框芯材３２ｅが配置される。
室外側上框芯材３１ｅは、ガラス２５側の面に対応するガラス側面３１１ａ及び枠体１０側の面に対面する枠体側面３１１ｂを有する（図５参照）。同様に、室外側下框芯材３２ｅは、ガラス側面３２１ａ及び枠体側面３２１ｂと、を有する（図５参照）。
【００３３】
また、吊元側縦框３３の内部には、室外側縦框芯材３３ｅが配置される。室外側縦框芯材３３ｅは、ガラス２５側の面に対応するガラス側面３３１ａと、枠体１０側の面に対面する枠体側面３３１ｂと、を有する（図示省略）。
【００３４】
また、戸先側縦框３４の内部には、室外側縦框芯材３４ｅが配置される。図４に示すように、室外側縦框芯材３４ｅは、ガラス２５側の面に対面するガラス側面３４１ａと、枠体１０側の面に対面する枠体側面３４１ｂと、を有する。
【００３５】
これらの室外側上框芯材３１ｅのガラス側面３１１ａ、室外側下框芯材３２ｅのガラス側面３２１ａ、室外側縦框芯材３３ｅのガラス側面３３１ａ、室外側縦框芯材３４ｅのガラス側面３４１ａは、図４に示すように、間に上框３１、下框３２、吊元側縦框３３、戸先側縦框３４を介して外れ止め部材４０におけるガラス２５の見込面に沿う部分にネジ４５により連結されている。
【００３６】
次に、框体３０を補強する補強部材７について説明する。
補強部材７は、火災発生時に樹脂製の框体３０が溶けて軟化しても障子２０を保持可能に補強する金属製の部材である。補強部材７は戸先側のコーナー３６に設けられる。補強部材７は、上框３１と戸先側縦框３４とが連結されるコーナー３６に配置される。また、補強部材は、下框３２と戸先側縦框３４とが連結されるコーナー３６に配置される。図４に示すように、補強部材７は、内側部材７１と、外側部材７２とを有する。
【００３７】
図５は、内側部材７１が上框３１、下框３２及び戸先側縦框３４の内側面に取り付けられた状態を示す斜視図である。内側部材７１は、コーナー３６のガラス２５側に配置される。内側部材７１は、上框３１の室外側上框芯材３１ｅのガラス２５側の面と、戸先側縦框３４の室外側縦框芯材３４ｅのガラス２５側の面とを連結する。また、内側部材７１は、下框３２の室外側下框芯材３２ｅのガラス２５側の面と、戸先側縦框３４の室外側縦框芯材３４ｅのガラス２５側の面とを連結する。
【００３８】
内側部材７１は、框体３０のコーナー３６に沿って屈曲する板体で構成され、上框接続面７１１及び下框接続面７１２と、縦框接続面７１３と、ネジ孔７１４と、を有する。
【００３９】
なお、戸先側縦框３４の上下において構成が同じであるため、以下に上框接続面７１１と縦框接続面７１３について説明する。しかし、下框接続面７１２と縦框接続面７１３についても同様である。上框接続面７１１及び縦框接続面７１３は、連続する一枚の板体が長手方向の略中央部で屈曲することで形成される。
【００４０】
上框接続面７１１は、上框３１の内面に当接し、ネジ４５によりその内側の室外側上框芯材３１ｅに固定される。縦框接続面７１３は、戸先側縦框３４の内面に当接し、ネジ４５によりその内側の室外側縦框芯材３４ｅに固定される。連続した一枚の板体の上框接続面７１１が室外側上框芯材３１ｅに固定され、縦框接続面７１３が室外側縦框芯材３４ｅに固定されることで、室外側上框芯材３１ｅ及び室外側縦框芯材３４ｅが連結される。
なお、上框接続面７１１及び縦框接続面７１３は、それぞれの長手方向に沿う両側縁の略中央部に、板面の内側に向う円弧状の切欠きを有している。
【００４１】
ネジ孔７１４は、上框接続面７１１及び縦框接続面７１３の幅方向の中央部で、縦方向に並んで２つ形成され、上框接続面７１１及び縦框接続面７１３をそれぞれ上框３１及び戸先側縦框３４に固定するネジ４５が挿通する。ネジ孔７１４は、上框接続面７１１及び縦框接続面７１３が互いに接続されていない方の端部に寄って配置される。
【００４２】
図６は、外側部材７２が上框３１及び戸先側縦框３４の外側面に取り付けられた状態を示す斜視図である。外側部材７２は、コーナー３６の枠体１０側に配置される。外側部材７２は、上框３１の室外側上框芯材３１ｅの枠体１０側の面と、戸先側縦框３４の室外側縦框芯材３４ｅの枠体１０の面とを連結する。また、外側部材７２は、下框３２の室外側下框芯材３２ｅの枠体１０側の面と、戸先側縦框３４の室外側縦框芯材３４ｅの枠体１０側の面とを連結する。
【００４３】
外側部材７２は、上框３１、下框３２及び戸先側縦框３４の表面に配置された補強材６５の上に取り付けられる。外側部材７２は、框体３０のコーナー３６に沿って屈曲する板体で構成され、上框接続面７２１及び下框接続面７２２と、縦框接続面７２３と、ネジ孔７２４と、を有する。
【００４４】
なお、戸先側縦框３４の上下において構成が同じであるため、以下に上框接続面７２１と縦框接続面７２３について説明する。しかし、下框接続面７２２と縦框接続面７２３についても同様である。上框接続面７２１及び縦框接続面７２３は、連続する一枚の板体が長手方向の略中央部で屈曲することで形成される。
【００４５】
上框接続面７２１は、上框３１の外面に当接し、ネジ３７によりその内側の室外側上框芯材３１ｅに固定される。縦框接続面７２３は、戸先側縦框３４の外面に当接し、ネジ３７によりその内側の室外側縦框芯材３４ｅに固定される。連続した一枚の板体の上框接続面７２１が室外側上框芯材３１ｅに固定され、縦框接続面７２３が室外側縦框芯材３４ｅに固定されることで、室外側上框芯材３１ｅ及び室外側縦框芯材３４ｅが連結される。
【００４６】
ネジ孔７２４は、上框接続面７２１及び縦框接続面７２３が互いに接続されていない方の端部に寄って配置され、幅方向に並んで２つずつ形成される。
【００４７】
図４に戻って、補強部材７の取付け方法について説明する。補強部材７は、戸先側縦框３４のコーナー３６を内側及び外側から挟むように配置する。図４に示すように、内側部材７１を、ガラス２５の側面に対向するように、上框３１、下框３２及び戸先側縦框３４の内面にネジ４５で留める。内側部材７１は、ネジ４５により上框３１の中空部３１ｂ内に配置された室外側上框芯材３１ｅ、下框３２の中空部３２ｂ内に配置された室外側下框芯材３２ｅ、戸先側縦框３４の中空部３４ｂ内に配置された室外側縦框芯材３４ｅに接続される。
【００４８】
また、外側部材７２を、内側部材７１から断面視でやや室内側にずれた位置で、上框３１、下框３２及び戸先側縦框３４の外面にネジ３７で留める。外側部材７２は、ネジ３７により上框３１の中空部３１ｂ内に配置された室外側上框芯材３１ｅ、下框３２の中空部３２ｂ内に配置された室外側下框芯材３２ｅ、戸先側縦框３４の中空部３４ｂ内に配置された室外側縦框芯材３４ｅに接続される。
【００４９】
このとき、図５に示すように、内側部材７１では、ネジ孔７１４が上框接続面７１１の長手方向に沿って縦に二つ並んでおり、また、縦框接続面７１３の長手方向に沿って縦に二つ並んでいる。このため、ネジ４５は、隣り合うネジ４５の軸頭同士が、ガラス２５の面方向に沿って並ぶように配置されて締結される。
図６に示すように、外側部材７２では、ネジ孔７２４が上框接続面７２１の幅方向に二つ並んでおり、また、縦框接続面７２３の幅方向に二つ並んでいる。このため、ネジ３７は、隣り合うネジ３７の軸頭同士が、ガラス２５の面方向に交差する方向に沿って並ぶように配置されて締結される。
【００５０】
以上説明した上記実施形態の構成によれば、以下のような効果を奏する。
枠体１０及び枠体１０に開閉可能に取り付けられる障子２０を備える建具１を、框体３０と、ガラス２５と、横框芯材（室外側上框芯材３１ｅ、室外側下框芯材３２ｅ）と、縦框芯材（室外側縦框芯材３３ｅ、室外側縦框芯材３４ｅ）と、補強部材７とを含んで構成した。
具体的には、框体３０を、障子２０の外縁を構成する樹脂製で内部が中空の上框３１、下框３２、左右の吊元側縦框３３、戸先側縦框３４を含んで構成した。
また、ガラス２５を、上框３１、下框３２、左右の吊元側縦框３３、戸先側縦框３４の内側に納めた。
また、室外側上框芯材３１ｅ、室外側下框芯材３２ｅを、金属で構成し、上框３１及び下框３２の内部に配置し、上框３１及び下框３２の内部におけるガラス２５側の面に対面するガラス側面３１１ａ、３２１ａ及び上框３１及び下框３２の内部における枠体１０側の面に対面する枠体側面３１１ｂ、３２１ｂを含んで構成した。
また、室外側縦框芯材３３ｅ、室外側縦框芯材３４ｅを、金属で構成し、吊元側縦框３３及び戸先側縦框３４の内部に配置し、吊元側縦框３３及び戸先側縦框３４の内部におけるガラス２５側の面に対面するガラス側面３３１ａ、３４１ａ及び吊元側縦框３３及び戸先側縦框３４の内部における枠体１０側の面に対面する枠体側面３３１ｂ、３４１ｂを含んで構成した。
さらに、金属製の補強部材７を、上框３１と戸先側縦框３４が連結されるコーナー３６に配置し、下框３２と戸先側縦框３４が連結されるコーナー３６に配置した。
また、補強部材７を、コーナー３６のガラス２５側に配置され、室外側上框芯材３１ｅ、室外側下框芯材３２ｅのガラス側面３１１ａ、３２１ａ及び室外側縦框芯材３４ｅのガラス側面３４１ａを連結する内側部材７１を含んで構成した。
また、補強部材７を、コーナー３６の枠体１０側に配置され、室外側上框芯材３１ｅ、室外側下框芯材３２ｅの枠体側面３１１ｂ、３２１ｂ及び室外側縦框芯材３４ｅの枠体側面３４１ｂを連結する外側部材７２を含んで構成した。
【００５１】
これにより、框体３０が金属製の補強部材７でガラス側と枠体側との両側から挟まれて補強される。補強部材７は、框体３０の内部に配置される金属製の室外側上框芯材３１ｅ及び室外側縦框芯材３４ｅ、室外側下框芯材３２ｅ及び室外側縦框芯材３４ｅを連結するので、火災等で高温により障子２０を構成する樹脂が溶けた場合でも、これらの室外側上框芯材３１ｅ及び室外側縦框芯材３４ｅ、室外側下框芯材３２ｅ及び室外側縦框芯材３４ｅがしっかりと連結された状態を維持し、障子２０が室内外方向に捩れることが防止される。よって、ガラス２５が框体３０に納められた状態が維持され、防火性能が向上する。
【００５２】
また、本実施形態では、補強部材７を、戸先側のコーナー３６に設けた。開閉可能に構成されている障子の戸先側の方が、開閉軸を有する吊元側よりも框体３０のコーナー３６の強度が低くなるので、補強部材７を、戸先側のコーナー３６に設けることで、効率的に障子２０の捩れを防止し、防火性能を向上させることができる。
【００５３】
また、本実施形態では、ガラス２５の見付方向の端部及び見込面に沿って延びるガラス２５の外れ止め部材４０を、框体３０のガラス２５側の面に配置した。また、室外側上框芯材３１ｅ、室外側下框芯材３２ｅのガラス側面３１１ａ、３２１ａ及び室外側縦框芯材３４ｅのガラス側面３４１ａを、外れ止め部材４０におけるガラス２５の見込面に沿う部分に連結させた。これにより、芯材（室外側上框芯材３１ｅ、室外側下框芯材３２ｅ、及び室外側縦框芯材３４ｅ）が、ガラス２５の外れ止め部材４０を介してガラス２５に連結されており、芯材、外れ止め部材４０、ガラス２５が一体となった状態で、室外側上框芯材３１ｅ及び室外側縦框芯材３４ｅが補強部材７により連結され、室外側下框芯材３２ｅ及び室外側縦框芯材３４ｅが補強部材７により連結される。このため、障子２０が一体的に補強され、障子２０を構成する框体３０等の樹脂製の部分が溶け落ちた場合に、捩れることが防止される。
【００５４】
また、本実施形態では、内側部材７１及び外側部材７２を、室外側上框芯材３１ｅ、室外側下框芯材３２ｅ、及び室外側縦框芯材３４ｅにそれぞれ２以上のネジにより締結した。この際、内側部材７１を締結するネジ４５の隣り合うネジ４５の軸頭同士を、ガラス２５の面方向に沿って並ぶように配置して締結した。また、外側部材７２を締結するネジ３７の隣り合うネジ３７の軸頭同士を、ガラス２５の面方向に交差する方向に沿って並ぶように配置して締結した。これにより、ネジ４５、３７の並ぶ方向が異なるので、室外側上框芯材３１ｅ及び室外側縦框芯材３４ｅ、室外側下框芯材３２ｅ及び室外側縦框芯材３４ｅを締結させる力の方向を縦横に及ぼすことができ、障子２０を一体的に連結させる力を強化することができる。
【００５５】
以上、本発明の好ましい実施形態について説明したが、本発明は、上述の実施形態に制限されるものではなく、適宜変更が可能である。例えば、上記実施形態では、補強部材７を戸先側のコーナー３６にのみ設けたが、これに限られない。補強部材７は戸先側及び吊元側の両方のコーナー３６に設け、室外側縦框芯材３３ｅと室外側上框芯材３１ｅ及び室外側下框芯材３２ｅとを連結してもよい。
【００５６】
また、上記実施形態で説明した上框３１、下框３２、吊元側縦框３３及び戸先側縦框３４の構成に限られず、框体の構成は適宜変更することができる。例えば、框体（上框、下框、吊元側縦框及び戸先側縦框）の見込方向室内側及び室外側の少なくとも一側にアルミ形材等の金属製のカバー部材を配置する構成としてもよい。樹脂製の框体（上框、下框、吊元側縦框及び戸先側縦框）は、その一部に金属製の部材を含んでいてもよい。なお、樹脂製の枠体も同様に、その一部に金属製の部材を含んでもよい。
【符号の説明】
【００５７】
１    建具
７    補強部材
１０  枠体
２０  障子
２５  ガラス
３０  框体
３１  上框（横框）
３１ｅ  室外側上框芯材（横框芯材）
３２ｅ  室外側下框芯材（横框芯材）
３２  下框（横框）
３３  吊元側縦框（縦框）
３４  戸先側縦框（縦框）
３４ｅ  室外側縦框芯材（縦框芯材）
３６    コーナー
３７    ネジ
４０    外れ止め部材
４５    ネジ
７１    内側部材
７２    外側部材
３１１ａ    ガラス側面
３１１ｂ    枠体側面
３２１ａ    ガラス側面
３２１ｂ    枠体側面
３４１ａ    ガラス側面
３４１ｂ    枠体側面
【図１】
2019065561.tif 000003
【図２】
2019065561.tif 000004
【図３】
2019065561.tif 000005
【図４】
2019065561.tif 000006
【図５】
2019065561.tif 000007
【図６】
2019065561.tif 000008